(57)【要約】【技術課題】床暖房パネルを折り畳んだ時、この折り畳み部において温水チューブが露出せず、然も無理のかからない構造を提案する。【解決手段】パネル板２、３、４、５を１８０°展回して折り畳むことが出来る折り畳み式床暖房パネル１において、前記パネル板２、３、４、５の表面に斜め方向に温水チューブ収容溝１０を形成し、この収容溝１０は、隣接のパネル板の収容溝１０とは互いに直線的に連続させる。また、パネル板２、３、４、５の温水チューブ収容溝１０には、パネル板１枚ごとに、隣接するパネル板２、３との境界において、直線的な温水チューブ収容溝１０から円曲させたチューブ反転収容主溝１１を形成すると共に、隣接のパネル板側にも前記主溝１１の反対方向に副溝１２を形成し、パネル板２、３、４、５を折り畳んだ際、温水チューブ６の反転部６ａを主溝１１と副溝１２内に収容することによって、反転部においてチューブ６を保護する。【選択図】        図  ２
2005024206.tif 000002
【特許請求の範囲】
【請求項１】
パネル板を複数枚繋ぎ合わせると共に、この繋ぎ合わせ目に沿ってパネル板を１８０°展回して折り畳むことが出来る折り畳み式床暖房パネルにおいて、前記パネル板の表面に斜め方向に温水チューブ収容溝を形成したこと、前記収容溝は、隣接のパネル板の収容溝とは互いに直線的に連続すること、前記パネル板の温水チューブ収容溝には、パネル板１枚ごとに、隣接するパネル板との境界において、直線的な温水チューブ収容溝から円曲部を経由して分岐したチューブ反転収容主溝を形成し、更に、隣接するパネル板においては、前記チューブ反転収容主溝に対して反対方向に向けてチューブ反転収容副溝を形成したこと、を特徴とする折り畳み式床暖房パネル。
【請求項２】
請求項１において、温水チューブ収容溝の傾斜角は、パネル板の長手方向に対して２０°〜４０°に設定されていることを特徴とする折り畳み式暖房パネル。
【請求項３】
請求項１において、チューブ反転収容主溝と収容副溝の円曲部は、Ｒ３０乃至７０の範囲内に設定されていることを特徴とする折り畳み式暖房パネル。
【請求項４】
請求項１又は２又は３において、１枚のパネル板における温水チューブの配管レイアウトは、中央部分は傾斜していて、両端のＵターン部分は、パネル板の中央部分で線対称となり、且つ同じスパンでＲが形成されていることを特徴とする折り畳み式床暖房パネル。
【発明の詳細な説明】
【０００１】
【発明の属する技術分野】
本願発明は、温水チューブ（パイプ）をパネル板内に配管し、且つこの上面にアルミシートを貼り合わせた折り畳み式床暖房パネルに関する。
【０００２】
【従来の技術】
図６に従来の折り畳み式床暖房パネルを示す。このような構成の床暖房パネル１００の場合、通常は工場で生産されるため、施工現場までの運搬性や保管性を考慮して、通常は何枚かのパネル板１００ａを組み合わせた折り畳み式となっている。このため、温水チューブ１０１が隣接のパネル板側に跨ぐ、所謂越境部１０３において、そのままパネル板１００ａを折り畳むと、温水チューブ１０１も、図８に示すように一緒に１８０°Ｕ字状に展回することになる。この結果、温水チューブ１０１が展回部１０１ａにおいて折れたり、潰れたりすることから、この折り畳みに際して無理のかからない工夫が種々なされている。
図７はこのような工夫の一例であって、温水チューブ１０１が４本の場合、その２本ずつの中間をパネル板１００ａ相互の折り畳み部分となし、且つこの折り畳み部分において、温水チューブ１０１が越境する本数を図７において上方と下方の２本ずつに分け、この越境部１０３においてのみ温水チューブ１０１を直線的な方向から斜め方向となるように構成している。
【０００３】
このように構成すると、パネル板１００ａを折り畳んだ際、温水チューブ１０１の越境部１０３は、この場合も図６のパネルと同様、図８に示すようにパネル板１００ａの端部においてＵ字状に円曲し、この温水チューブ１０１の展回部１０１ａが露出する。この結果、この展回部１０１ａが運搬中あるいは施工時に損傷することがある。
また、図９は別の工夫を示すもので、パネル板１００ａの両端であって、温水チューブ１０１のＵターン部分を別板１００ｂとなし、この別板１００ｂを抜き差し自在に構成しておき、折り畳み時には、図１０に示すように、別板１００ｂを抜きとることにより、図１１に示すように、温水チューブ１０１の展回部１０１ａに自由度を付与して無理がかからないようにしている。
【０００４】
しかし、上記した各従来例においては、更に次のような問題がある。
１．パネル板や温水チューブの一部を取り外して折り畳む場合、現場にて当該部
分のチューブを配管したり、放熱シートを張り直す等の手間が掛かる。
２．また、チューブが剥き出しで梱包・搬送されるため、輸送時は勿論、現場で施工前に梱包を開封して保管した場合などにもチューブを破損する危険がある
。
３．一方のＲ部分のチューブのみで接続しているタイプは、折り畳み部分の荷重
により、チューブを破損する可能性がある。
【０００５】
【発明が解決しようとする課題】
本発明は、これらの欠点を有する従来の折り畳み式温水パネルの欠点を改善するものであって、その目的は、折り畳み部において無理なく温水チューブを円曲させることができると共にパネル板の外から温水チューブの円曲部が露出しないように工夫した温水パネルを提供することである。
【０００６】
【課題を解決するための手段】
上記目的を達成するため、請求項１に記載の発明においては、折り畳み式床暖房パネルにおいて、パネル板を複数枚繋ぎ合わせると共に、この繋ぎ合わせ目に沿ってパネル板を１８０°展回して折り畳むことが出来る折り畳み式床暖房パネルにおいて、前記パネル板の表面に斜め方向に温水チューブ収容溝を形成したこと、前記収容溝は、隣接のパネル板の収容溝とは互いに直線的に連続すること、前記パネル板の温水チューブ収容溝には、パネル板１枚ごとに、隣接するパネル板との境界において、直線的な温水チューブ収容溝から円曲部を経由して分岐したチューブ反転収容主溝を形成し、更に、隣接するパネル板においては、前記チューブ反転収容主溝に対して反対方向に向けてチューブ反転収容副溝を形成したこと、を特徴とするものである。
【０００７】
更に、請求項２に記載の発明においては、請求項１において、温水チューブ収容溝の傾斜角は、パネル板の長手方向に対して２０°〜４０°に設定されていることを特徴とするものである。
この温水チューブ収容溝の傾斜角は、２０°〜４０°の範囲を外れると、パネル板の長手方向の長さを制限しない限り無理があり、特殊な形状のもの以外適用ができない。
【０００８】
更に、請求項３に記載の発明においては、請求項１において、チューブ反転収容主溝と収容副溝の円曲部は、Ｒ３０乃至７０の範囲内に設定されていることを特徴とするものである。
このＲ３０〜７０の範囲を超えると、パネル板の幅を制御しない限り無理があり、特殊な形状のもの以外適用ができない。
【０００９】
更に、請求項４に記載の発明においては、請求項１又は２又は３において、１枚のパネル板における温水チューブの配管レイアウトは、中央部分は傾斜していて、両端のＵターン部分は、パネル板の中央部分で線対称となり、且つ同じスパンでＲが形成されていることを特徴とするものである。
【００１０】
【実施例１】
以下、本発明の実施例を図１〜図５に基づいて詳細に説明する。図１は、本発明を実施した床暖房パネルの平面図、図２はパネル板の折り畳み部であって、温水チューブが越境する部分の説明図、図３は、パネル板を折り畳んだ際、温水チューブがチューブ反転収容溝内に収まった状態の説明図。図４は、図３を矢印ａの方向から見た時の正面図、図５はチューブ収容溝とチューブ反転収容溝の説明図である。
これら図１〜図５において、１は床暖房パネル本体であて、このパネル本体１は、パネル板２、３、４、５の４枚から成り、６、７、８、９は各パネル板２、３、４、５に配管された温水チューブであって、この温水チューブ６、７、８、９は、図１に示すように、パネル板２、３、４、５の中間部分２ａ、３ａ、４ａ、５ａにおいては、斜めにレイアウトされていて、両端のＵターン部分２ｂ、３ｂ、４ｂ、５ｂの導入部についてはパネル板２、３、４、５の長手方向に対して平行となり、且つＲ部分は、パネル板２のヘッダー１４部分を除き、パネル板３、４、５の中央部分ｘにおいて、線対称となっている。
図２において、１０は前記温水チューブ６、７、８、９を収容している温水チューブ収容溝であって、パネル板２、３、４、５の折り畳み部（側縁）においては、直線的なチューブ収容溝１０から分かれて円曲したチューブ反転収容主溝１１が一定の長さで形成されている。同じく、隣接のパネル板３側には、前記チューブ反転収容主溝１１と同形のチューブ反転収容副溝が形成されている。このパターンは、パネル板３と４、４と５間においても同じである。
【００１１】
なお、このチューブ反転収容主溝１１と副溝１２は、図５に示すように、温水チューブ収容溝１０の傾斜角度がパネル板２の長手方向に対して２５°のとき、Ｒ４５に設定されているが、このＲはチューブの傾斜が２５°〜４０°のとき、３０〜７０の範囲が実用的であるが、この温水チューブ収容溝１０の傾斜角とＲは、実用化が可能である範囲において任意である。
図２はパネル板２、３を展回したときの温水チューブ６の状態であって、この時の温水チューブ６は越境部１５において直線的であるが、パネル板２、３を折り畳むと、温水チューブ６は、図３に示すように、チューブ反転収容主溝１１側に反転して直径の約半分が収まり、他の半分は重なる別のパネル板３側のチューブ反転収容副溝１２内に収まる。図４はこの折り畳んだ時のパネル板２、３と温水チューブ６の反転部を表したものであるが、温水チューブ６は、２枚のパネル板２、３の境界端に開口したチューブ収容溝１０によって形成された穴１３内に見えるが、パネル板２、３の端面からは露出していない。
【００１２】
【発明の効果】
本発明は以上のように、温水チューブをパネルに対して傾斜させて配管（レイアウト）すると共に、この傾斜した温水チューブが隣接のパネル板側に越境する部分において、そのチューブ収容溝に円曲したチューブ反転収容主溝と隣接のパネル板側に収容副溝を設けたことにより、パネル板を折り畳んだ時、温水チューブの反転部分は前記収容主溝と副溝により形成された凹所内に沿って円曲し、かつ収まるため、温水チューブの反転角は緩やかとなり、且つパネル板の端から露出しない。
この結果、次の効果を奏する。
１．運搬や施工時に損傷したりする心配がない。
２．パネル・チューブが一体型となっており、現場にて配管・放熱シートの張り直し等の作業を行わなくて良い。
３．折り畳み部分のチューブをパネル内に収納し、保護することにより、チューブの破損を防ぐことができる。
４．折り畳み部分を直線部に持つことにより、長い距離で自然に緩やかな角度をもって折り畳み部分とチューブを交わらせることができる。
５．折り畳み部分の荷重がチューブに集中しない為、チューブ破損の危険性が低い。
６．斜め配管により中心部分の配管パターンがより密度が高くなり、使用頻度が高い中心部分の熱効率がより高くなり、使い勝手が良くなる。
７．温水チューブの反転はスムーズに行われ、然もこの反転部が溝内に収まっているため、反転部において温水チューブに無理がかからない。
【図面の簡単な説明】
【図１】本発明を実施した温水パネルの平面図。
【図２】パネル板を越境する温水チューブの状態を示す説明図。
【図３】パネル板を折り畳んだ時、温水チューブがチューブ反転収容主溝と副溝内に収まっている状態の説明図。
【図４】パネル板を折り畳んだ状態におけるパネル板の端面部の説明図。
【図５】パネル板に形成された斜めの温水チューブ収容溝の角度とチューブ反転収容主溝と副溝のＲの説明図。
【図６】従来例の床暖房パネルの平面図。
【図７】パネル板の境界部のチューブ収容溝を変形して折り畳んだ際、温水チューブの変形を防ぐように工夫した従来例の説明図。
【図８】従来例において、パネル板を折り畳んだ時に温水チューブが露出する状態の説明図。
【図９】従来例において、温水チューブの反転部のパネル板を取り外し自在とした例の説明図。
【図１０】図９において、反転部のパネル板を取り外した状態の説明図。
【図１１】図１０の状態において、パネル板を折り畳んだ時の温水チューブの反転と露出状態の説明図。
【符号の説明】
１  床暖房パネル
２、３、４、５  パネル板
６、７、８、９  温水チューブ
１０  温水チューブ収容溝
１１  チューブ反転部収容主溝
１２  チューブ反転部収容副溝
１３  穴
【図１】
2005024206.tif 000003
【図２】
2005024206.tif 000004
【図３】
2005024206.tif 000005
【図４】
2005024206.tif 000006
【図５】
2005024206.tif 000007
【図６】
2005024206.tif 000008
【図７】
2005024206.tif 000009
【図８】
2005024206.tif 000010
【図９】
2005024206.tif 000011
【図１０】
2005024206.tif 000012
【図１１】
2005024206.tif 000013